(57)【特許請求の範囲】
【請求項１】
断熱構造になる本体キャビネットの庫内底壁の上に断熱材を介して敷設した板金製の庫内トレーに庫内冷却ユニットを載置し、かつ前記庫内トレー，断熱材，底壁の前縁に切欠き形成した凹溝を庫内に引き込む配管，配線の通路として、この凹溝に前記冷却ユニット，およびに庫内側の電装部品と本体キャビネットの機械室内に配備した冷凍機コンデンシングユニット，電装ボックスとの間を接続する冷媒配管，ワイヤーハーネスを通して引き回し配管，配線した自動販売機において、
前記凹溝に嵌挿して庫内トレーを本体キャビネットの庫内底壁に係止固定するモールド樹脂製の固定部材を設け、
前記固定部材は、断面Ｕ形の胴部を基体その上端周縁に鍔部，下部周面に係合突起を形成した半筒形状からなり、前記固定部材を前記凹溝に嵌挿して前記鍔部を前記庫内トレーの上面に押し当て、前記係合突起を前記底壁の前記凹溝周縁に係合して前記庫内トレーを固定したことを特徴とする自動販売機。
【発明の詳細な説明】
【技術分野】
【０００１】
この発明は缶，壜，ペットボトルなどの商品を販売する自動販売機に関し、詳しくは断熱構造になる本体キャビネットの庫内底部に敷設して冷却ユニットを搭載する庫内トレーの固定支持構造に係わる。
【背景技術】
【０００２】
周知のように頭記の自動販売機は、断熱筐体になる本体キャビネットの庫内に商品ラック（例えば、サーペンタイン式商品ラック），および冷却ユニット（冷凍機のエバポレータに庫内ファンを組み合わせたユニット）を搭載し、商品ラックに収納した商品を保冷して販売する。また、前記冷却ユニットにヒータを組み合わせて商品をホット，コールド商品として販売するものもある。
ここで、本体キャビネットは、略直方体形状になる外箱（鋼板製）の庫内側の壁面（天井面，左右側面，背面，および底面）に発泡ウレタン樹脂などで作られたパネル状の断熱材を布設して構成している。また、前記冷却ユニットは板金製の庫内トレーの上に搭載して庫内底部に設置されており、この庫内トレーは庫内底部に布設した前記断熱材の上に重ねて敷設され、従来構造では庫内トレーを鋼板製の庫内底壁にネジ止めして所定の敷設位置に固定している（例えば、特許文献１参照）。
また、前記自動販売機においては、本体キャビネットの底部（庫外側）に画成した機械室内に設置した冷凍機のコンデンシングユニットと前記冷却ユニットとの間を接続する冷媒配管、および機械室内の電装ボックスと庫内側の電装部品（冷却ユニットの送風ファン，商品ラックのベンド機構など）との間を接続するワイヤーハーネスを庫内に引き込むための配管，配線用通路として、前記の庫内トレー，断熱材，底壁の前縁側に凹溝を切欠き形成しておき、この凹溝にクッション材を巻き付けた冷媒配管，ワイヤーハーネスを通して配管，配線するようにしている（例えば、特許文献２参照）。
【先行技術文献】
【特許文献】
【０００３】
【特許文献１】特開２００７−１４８７０４号公報（図９、図１０）
【特許文献２】特許第３９３２８７０号公報
【発明の概要】
【発明が解決しようとする課題】
【０００４】
ところで、前記した従来の庫内トレーの取付構造（特許文献１）では、板金製の庫内トレーを複数箇所で鋼板製の底壁にネジ止めしていることから、庫内トレーと底壁の間には締結ネジを経由する金属間の伝熱経路が形成される。そのために、冷却ユニットで冷却した庫内の保冷熱，ないしヒータで加熱した庫内の保温熱が庫内トレーから締結ネジ（伝熱性の高い金属）を経て底壁に伝熱し、この底壁から庫外に逃げてしまう。その結果、庫内トレーと底壁の間に断熱材を介在しているにも係わらず、その断熱機能が十分に発揮されずに熱損失が増大して庫内の保冷，保温性能が低下し、その結果として自動販売機の消費電力が増加する。
そのほか、従来の配管，配線構造（特許文献２）では、冷媒配管，ワイヤーハーネスを庫内に引き込む通路として庫内トレー，断熱材，底壁の前縁に凹溝を形成し、冷媒配管，ワイヤーハーネスをその回りに巻き付けたクッション材とともに前記凹溝に嵌入して庫内の冷気，暖気が庫外に漏出するのを防ぐようにシールしている。
しかしながら、庫内トレー，断熱材，底壁に対して個別に切欠き形成した前記凹溝は溝加工，組立のバラツキよって各部材の重なり部の間に凹凸段差が生じ、このために該部のシールが不完全になるおそれがある。
【０００５】
この発明は上記の点に鑑みなされたものであり、本体キャビネットの庫内底壁の上に断熱材を介して敷設した庫内トレーの固定手段として、先記のように庫内に引き込む配管，配線の通路として庫内トレー，断熱材，底壁の前縁に切欠き形成した凹溝を利用し、庫内トレーを底壁に対して断熱的に固定できるように組立構造を改良した自動販売機を提供することを目的とする。
【課題を解決するための手段】
【０００６】
上記目的を達成するために、この発明によれば、断熱構造になる本体キャビネットの庫内底壁の上に断熱材を介して敷設した板金製の庫内トレーに庫内冷却ユニットを載置し、かつ前記庫内トレー，断熱材，底壁の前縁に切欠き形成した凹溝を庫内に引き込む配管，配線の通路として、この凹溝に前記冷却ユニット，およびに庫内側の電装部品と本体キャビネットの機械室内に配備した冷凍機コンデンシングユニット，電装ボックスとの間を接続する冷媒配管，およびワイヤーハーネスを通して引き回し配管，配線した自動販売機において、
前記凹溝に嵌挿して庫内トレーを本体キャビネットの庫内底壁に係止固定するモールド樹脂製の固定部材を設けるものとし、その具体的な態様として前記固定部材は、断面Ｕ形の胴部を基体としてその上端周縁に鍔部，下部周面に係合突起を形成した半筒形状になり、この固定部材を前記凹溝に嵌挿してその鍔部を庫内トレーの上面に押し当て、係合突起を底壁の凹溝周縁に係合して庫内トレーを所定の敷設位置に固定する。
【発明の効果】
【０００７】
上記構成によれば、庫内トレーは金属間の伝熱路となる締結ネジを用いずに、熱伝導性の低いモールド樹脂で作られた固定部材を前記凹溝に嵌挿し、その鍔部，係合突起を介して庫内トレー，底壁を上下から挟み込むように係止するだけの簡単な作業で、庫内トレーを本体キャビネットの庫内底壁に対して断熱的に固定することができる。
また、この固定部材はその胴部の上端周縁から張り出した鍔部が庫内トレーの板面に密着して重なり合うので両者の間に隙間が生じるおそれがなく、しかも胴部の内周面は凹凸段差のない平坦面を呈しているので、この胴部の中に通す冷媒配管，ワイヤーハーネスに巻き付けたクッション材と胴部の内周面との間に隙間が生じるのを防いで庫内冷気，暖気の漏出に対して高いシール性を確保することかできる。これにより、先記した従来の庫内トレー支持構造、および配管，配線の庫内引き込み構造と比べて、庫内の保冷，保温性が向上して自動販売機の省エネ化が図れる。
【図面の簡単な説明】
【０００８】
【図１】この発明の実施例による庫内トレーの取付構造図であって、（ａ）は庫内の底部周辺を前方から見た斜視外観図、（ｂ）は（ａ）における固定部材の外形斜視図である。
【図２】図１の矢視Ｘ−Ｘ断面図である。
【発明を実施するための形態】
【０００９】
以下、この発明の実施の形態を図示の実施例に基づいて説明する。
図１（ａ），（ｂ）、図２において、１は本体キャビネットの外箱に設けた鋼板製の庫内底壁、２は発泡ウレタン樹脂などで作られたパネル状の断熱材、３は断熱材２を挟んで底壁１の上に敷設した板金製の庫内トレー、４は庫内トレー３を底壁１に係止固定するこの発明による固定部材、５は本体キャビネットの庫内に立設して商品室を仕切る仕切隔壁であり、この庫内トレー３の後部側には冷却ユニット（不図示）を載置搭載し、この冷却ユニットに生じた除霜水を庫外に排水する排水口（不図示）がトレー板面に開口している。なお、底壁１はその前縁に沿って上向きに起立した前壁がＬ曲げ加工してされている。
また、６は本体キャビネットの底部（庫外側）に画成した機械室内に配した冷凍機のコンデンシングユニットと前記冷却ユニットの蒸発器との間に配管した冷媒配管、７は機械室内の電装ボックスと庫内側の電装部品（冷却ユニットに組み込まれたファン，庫内に収設した商品ラックのベンドメックとの間を接続するワイヤーハーネスであり、この冷媒配管６，ワイヤーハーネス７を庫内に引き込むために、前記底壁１，断熱材２，および庫内トレー３の前端縁には従来と同様に前方に開放した凹溝が切欠き形成されており（特許文献２参照）、この凹溝に前記した固定部材４を後記のように嵌挿して庫内トレー３を底壁１に係止し、庫内トレー３を所定の敷設位置に固定支持する。
【００１０】
ここで、前記固定部材４はモールド樹脂の成形品になり、図１（ｂ）で示すように断面Ｕ字形の胴部４ａを基体として、その上端周縁には外方に張り出す肉薄な鍔部４ｂが、また下部周面には左右二カ所に分けて楔状の係合突起４ｃが形成されている。なお、胴部４ａの外形は前記凹溝の形状に対応し、鍔部４ｂと係合突起４ｃとの間の間隔寸法は底壁１，断熱材２，庫内トレー３の積層厚さに対応している。
そして、本体キャビネットの組立工程で庫内底壁１の上に断熱材２を介して載置した庫内トレー３を所定の敷設位置に固定するには、固定部材４を庫内トレー３の上面側から前記した凹溝に押し込んで嵌挿する。この押込みにより固定部材４の胴部４ａはその左右側壁が内側に撓み変形しながら溝内に進入し、係合突起４ｃが凹溝を通過すると胴部４ａが復元して係合突起４ｃが底壁１の凹溝周縁に係止される。この固定状態では固定部材４の鍔部４ａが庫内トレー３の上面に重なり合って密着するので、庫内トレー３の凹溝と固定部材４の胴部外周面との間の隙間が封止される。
また、庫内トレー３の敷設，固定に続いて、庫内に冷却ユニットを組み込む組立工程では、図２のように冷媒配管６，ワイヤーハーネス７にクッション材８を巻き付けた上で、キャビネットの前方から前記固定部材６の胴部４ａに嵌入して配管，配線を庫内側に引き込む。この場合に、胴部４ａの内周面は凹凸段差もなく一様に平坦面を呈しているので、クッション材８との間に隙間が生じることがなくて高いシール性が確保される。なお、この配管，配線の後に、底壁１，仕切隔壁６の前端面を含めて庫内側のキャビネット前縁にはガスケットを取付けて本体キャビネットの前面に装着する断熱扉との間を気密にシールするようにしている。
【００１１】
上記の組立構造によれば、庫内トレー３の固定手段として従来のよう締結ネジ（金属）を使わずに、配管，配線用の通路として底壁１，断熱材２，庫内トレー３を貫通する凹溝を利用し、この凹溝に低熱伝導率のモールド樹脂製になる固定部材４を介して庫内トレー３を底壁１に断熱的に固定することができ、これにより従来構造と比べて庫内の高い保冷，保温性を確保できる。
【符号の説明】
【００１２】
１：庫内底壁
２；断熱材
３：庫内トレー
４：固定部材
４ａ：胴部
４ｂ：鍔部
４ｃ：係合突起
６：冷媒配管
７：ワイヤーハーネス
【図１】
0005509865.tif 000002
【図２】
0005509865.tif 000003